【手続補正書】
【提出日】平成17年10月17日(2005.10.17)
【手続補正１】
【補正対象書類名】明細書
【補正対象項目名】特許請求の範囲
【補正方法】変更
【補正の内容】
【特許請求の範囲】
【請求項１】
ビデオ・フレーム・データを作成すると共に印刷画像データと対応する画像を印刷するプリンタ（５４）であって、
ビデオ入力（４２）からビデオ・フレーム・データを作成する統合型ビデオ・キャプチャ・ユニット（５６）と、
印刷画像データと対応する画像を印刷するプリンタ・ユニット（５８）と、
前記統合型ビデオ・キャプチャ・ユニット（５６）及び前記プリンタ・ユニット（５８）と作動的に接続された第１プリンタ・ポート・コネクタ（６０）と、
を備えるプリンタ。
【請求項２】
前記プリンタ・ユニットが、
印刷要素ドライバ回路（７０）と、
前記印刷要素ドライバ回路（７０）及び前記第１プリンタ・ポート・コネクタ（６０）の間に結合されたプリンタ制御論理回路（７２）と、を含む、請求項１に記載のプリンタ。
【請求項３】
前記ビデオ入力（４２）が複合ビデオ入力ポートであり、前記第１プリンタ・ポート・コネクタ（６０）がパラレル・ポート・コネクタである、請求項１或は２に記載のプリンタ。
【請求項４】
ユニバーサル・シリアル・バス入力ポート（１９２）と、
ユニバーサル・シリアル・バス・ポート・コネクタ（１７４）と、
前記ユニバーサル・シリアル・バス入力ポート（１９２）及び前記ユニバーサル・シリアル・バス・ポート・コネクタ（１７４）の間に結合されたユニバーサル・シリアル・バス制御回路（１７０）と、
を更に備える、請求項１乃至３の内の何れか一項に記載のプリンタ。
【請求項５】
前記ビデオ・キャプチャ・ユニット（５６）及び前記プリンタ・ユニット（５８）と作動的に接続された選択回路（６４）を含む、請求項１乃至４の内の何れか一項に記載のプリンタ。
【請求項６】
前記選択回路（６４）が、前記プリンタ制御回路（７２）から制御信号を受信すべく結合された制御入力と、前記第１プリンタ・ポート・コネクタ（６０）を前記ビデオ・キャプチャ・ユニットに選択的に接続すべく結合された出力とを含む、請求項５に記載のプリンタ。
【請求項７】
少なくとも１つのデータ線（８８）及び前記プリンタ論理回路（７２）の間に結合されたポート入力論理回路（８２）を含んで、前記プリンタ論理回路（７２）に前記少なくとも１つのデータ線（８８）の状態を検知させる、請求項６に記載のプリンタ。
【請求項８】
前記ビデオ・キャプチャ・ユニット（５６）及び前記プリンタ・ユニット（５８）の内の一方或は他方を選択的にイネーブルする手段を含む、請求項１乃至４の内の何れか一項に記載のプリンタ。
【請求項９】
選択回路（６４）を更に備え、
前記選択回路（６４）が、第１動作状態中、前記第１プリンタ・ポート・コネクタ（６０）及び前記統合型ビデオ・キャプチャ・ユニット（５６）の間でのビデオ・フレーム・データの転送を促進し、
前記選択回路（６４）が、第２動作状態中、前記第１プリンタ・ポート・コネクタ（６０）及び前記プリンタ・ユニット（５８）の間での印刷画像データの転送を促進する、請求項１乃至４の内の何れか一項に記載のプリンタ。
【請求項１０】
前記プリンタが画像データを受信して発生でき、
前記統合型ビデオ・キャプチャ・ユニット（５６）がユニバーサル・シリアル形態で画像データを受信できると共に、
選択回路（６４）と、
前記統合型ビデオ・キャプチャ・ユニット（５６）と作動的に接続された第２プリンタ・ポート・コネクタ（１７４）と、を更に備え、
前記第１プリンタ・ポート・コネクタ（６０）が前記選択回路（６４）に応答して、第１動作モード中、前記第１プリンタ・ポート・コネクタ（６０）及び前記統合型ビデオ・キャプチャ・ユニット（５６）の間を転送可能なビデオ・フレーム・データを作成し、
前記第１プリンタ・ポート・コネクタ（６０）が前記選択回路（６４）に応答して、第２動作モード中、前記第１プリンタ・ポート・コネクタ（６０）及び前記プリンタ・ユニットの間を転送可能な印刷画像データを作成し、
ユニバーサル・シリアル形態での前記画像データが前記統合型ビデオ・キャプチャ・ユニット（５６）及び前記第２プリンタ・ポート・コネクタ（１７４）の間を転送可能である、請求項１乃至３の内の何れか一項に記載のプリンタ。
【請求項１１】
前記プリンタ・ユニット（５８）が、前記選択回路（６４）が前記第１動作状態の際に受信されたポート・データに応じて、前記選択回路（６４）を前記第２作動状態に為す、請求項９或は１０に記載のプリンタ。
【請求項１２】
ビデオ・フレーム・データを含む画像形成データを処理し、印刷画像データに対応する画像を印刷する画像形成システムであって、
請求項１乃至３の内の何れか一項に記載のプリンタ（５４）と、
前記プリンタ（５４）の前記第１プリンタ・ポート・コネクタ（６０）と結合された第１コンピュータ・ポート・コネクタ（９６）を含むコンピュータ（５２）と、の組み合わせを備える画像形成システム。
【請求項１３】
前記コンピュータ（５２）が、
プリンタ・ドライバ・ソフトウェア（１０４）と、
ビデオ・キャプチャ・ソフトウェア（１００）と、
前記第１パラレル・ポート・コネクタ（９６）及び前記プリンタ・ドライバ・ソフトウェア（１０４）の間と、前記第１パラレル・ポート・コネクタ（９６）及び前記ビデオ・キャプチャ・ソフトウェア（１００）の間とにおけるデータ接続を仲裁するディレクタ・ソフトウェア（１０６）と、を更に含む、請求項１２に記載の画像形成システム。
【請求項１４】
前記コンピュータ（５２）が、ビデオ・フレーム・データを受信して処理し、印刷画像データを生成する手段を含み、
前記画像形成システムが選択回路（６４）を更に含み、
前記第１コンピュータ・ポート・コネクタ（９６）及び前記第１プリンタ・ポート・コネクタ（６０）が結合されて、前記選択回路（６４）が第１動作モードにある際に前記コンピュータ（５２）による処理のため、前記ビデオ・キャプチャ・ユニット（５６）によって作成されたビデオ・フレーム・データを該ビデオ・キャプチャ・ユニット（５６）及び前記コンピュータ（５２）の間で転送し、
前記第１コンピュータ・ポート・コネクタ（９６）及び前記第１プリンタ・ポート・コネクタ（６０）が結合されて、前記選択回路（６４）が第２動作モードにある際に前記プリンタ・ユニット（５８）を用いて画像を印刷するため、印刷画像データを前記コンピュータ（５２）及び前記プリンタ・ユニット（５８）の間で転送する、請求項１２に記載の画像形成システム。
【請求項１５】
前記コンピュータ（５２）が、ビデオ・フレームを受信して処理する手段と、第２コンピュータ・ポート・コネクタ（１８６）とを含み、
前記画像形成システムが選択回路（６４）を更に含み、
前記プリンタ（５４）がユニバーサル・シリアル形態で画像データを受信できると共に、第２プリンタ・ポート・コネクタ（１７４）を更に含み、
前記第１コンピュータ・ポート・コネクタ（９６）及び前記第１プリンタ・ポート・コネクタ（６０）が一体的に結合されて、前記ビデオ・キャプチャ・ユニット（５６）によって作成されるビデオ・フレーム・データを、前記選択回路（６４）が第１動作状態にある際、前記ビデオ・キャプチャ・ユニット（５６）及び前記コンピュータ（５２）の間で転送され、
前記第１コンピュータ・ポート・コネクタ（９６）及び前記第１プリンタ・ポート・コネクタ（６０）が結合されて、前記選択回路（６４）が第２動作状態にある際、前記プリンタ・ユニット（５８）を用いて画像を印刷するために、印刷画像データを前記コンピュータ（５２）及び前記プリンタ・ユニット（１５８）の間で転送し、
前記第２コンピュータ・ポート・コネクタ（１８６）及び前記第２プリンタ・ポート・コネクタ（１７４）が一体的に結合されて、前記コンピュータ（５２）による処理のために、ユニバーサル・シリアル・バス形態での画像データを前記統合型ビデオ・キャプチャ・ユニット（５６）及び前記コンピュータ（５２）の間で転送する、請求項１２に記載の画像形成システム。
【請求項１６】
前記プリンタ（５４）が、前記選択回路（６４）が前記第１動作状態にある際に受信された、前記コンピュータ（５２）からのポート・データに応答して、前記選択回路（６４）を前記第２動作状態に為す、請求項１４或は１５に記載の画像形成システム。
【請求項１７】
ビデオ・フレーム画像形成を含む画像形成と、統合型ビデオ・キャプチャ・ユニット（５６）、プリンタ・ユニット（５８）、並びに、前記ビデオ・キャプチャ・ユニット（５６）及び前記プリンタ・ユニット（１５８）と作動的に接続された第１グラブ・プリンタ・ポート・コネクタ（６０）を有するグラブ・プリンタ（５４）を用いての印刷とのための方法であって、
ビデオ入力（４２）からビデオ・フレーム・データを生成する段階と、
前記ビデオ・キャプチャ・ユニット（５６）に対する前記第１グラブ・プリンタ・ポート・コネクタ（６０）の制御を為して、第１動作モード中に前記統合型ビデオ・キャプチャ・ユニット（５６）及び前記第１グラブ・ポート・コネクタ（６０）の間で転送可能なビデオ・フレーム・データを形成する段階と、
前記プリンタ・ユニット（５８）に対する前記第１グラブ・プリンタ・ポート・コネクタ（６０）の制御を為して、印刷画像データを、印刷画像データ入力から前記第１グラブ・プリンタ・ポート・コネクタ（６０）へ転送可能であり、印刷画像データ入力から前記第１グラブ・プリンタ・ポート・コネクタ（６０）へ転送可能であると共に、第２動作モード中に、前記第１グラブ・プリンタ・ポート・コネクタ（６０）及び前記プリンタ・ユニット（１５８）の間で転送可能と為す段階と、
の諸段階を含む方法。
【請求項１８】
前記グラブ・プリンタ（５４）が、第２グラブ・プリンタ・ポート・コネクタ（１７４）を更に含み、そして、
ユニバーサル・シリアル形態でのデータを、前記統合型ビデオ・キャプチャ・ユニット（５６）及び前記第２グラブ・プリンタ・ポート・コネクタ（１７４）の間で転送する段階を更に含む、請求項１７に記載の方法。
【請求項１９】
ビデオ入力（４２）からビデオ・フレーム・データを作成する前記段階が、複合型ビデオ・データ入力（４２）から前記ビデオ・フレーム・データを作成することを含む、請求項１７或は１８に記載の方法。
【請求項２０】
前記第１動作モード中、ビデオ・フレーム・データを前記プリンタ・ユニット（５８）に提供して、前記プリンタ・ユニット（５８）が、前記第２動作モード中、前記第１グラブ・プリンタ・ポート・コネクタ（６０）の制御を獲得する段階を更に含む、請求項１７乃至１９の内の何れか一項に記載の方法。